(57)【要約】【課題】保存安定性に優れ、ＰＶＣ基材への印刷に用いた場合に、滲みが少なく、高い光学濃度で定着性に優れる画像を形成可能な水性インクジェットインクを提供する。【解決手段】水、色材、水溶性有機溶剤成分、界面活性剤、および樹脂微粒子を含有し、有機溶剤成分は、Ｒ１Ｏ（ＣＨ２ＣＨ２Ｏ）ｍＯＨ（Ｒ１は炭素数１〜４のアルキル、ｍは２または３）である第１モノオールとＲ２Ｏ（Ｃ３Ｈ６Ｏ）ｎＯＨ（Ｒ２は炭素数１〜４のアルキル、ｎは２または３）である第２モノオールと３−メトキシ−１−ブタノールおよび／または３−メトキシ−３−メチル−１−ブタノールである第３モノオールとを含有し、第３モノオール、第１モノオール、第２モノオールの含有量がそれぞれ、８質量％以上２７質量％以下、０．５質量％以上９質量％以下、０．５質量％以上９質量％以下、有機溶剤成分の含有量が１５質量％以上４２質量％以下である水性インクジェットインク。【選択図】なし【特許請求の範囲】
【請求項１】
少なくとも水（Ａ）、色材（Ｂ）、水溶性有機溶剤成分（Ｃ）、界面活性剤（Ｄ）、および樹脂微粒子（Ｅ）を含有する水性インクジェットインクであって、
前記水溶性有機溶剤成分（Ｃ）は、Ｒ１Ｏ（ＣＨ２ＣＨ２Ｏ）ｍＯＨ（式中、Ｒ１は炭素数１〜４の直鎖状または分岐状のアルキル基を表し、ｍは２または３の整数を表す）で表される第１のモノオール系溶媒と、Ｒ２Ｏ（Ｃ３Ｈ６Ｏ）ｎＯＨ（式中、Ｒ２は炭素数１〜４の直鎖状または分岐状のアルキル基を表し、ｎは２または３の整数を表す）で表される第２のモノオール系溶媒と、３−メトキシ−１−ブタノールおよび３−メトキシ−３−メチル−１−ブタノールからなる群より選ばれる少なくとも１種である第３のモノオール系溶媒とを含有し、
前記第３のモノオール系溶媒のインク中の含有量が、８質量％以上２７質量％以下であり、
前記第１のモノオール系溶媒のインク中の含有量が、０．５質量％以上９質量％以下であり、
前記第２のモノオール系溶媒のインク中の含有量が、０．５質量％以上９質量％以下であり、
前記水溶性有機溶剤成分（Ｃ）のインク中の含有量が、１５質量％以上４２質量％以下である、
ことを特徴とする水性インクジェットインク。
【請求項２】
前記水溶性有機溶剤成分（Ｃ）が、ジオール系水溶性有機溶剤をさらに含有することを特徴とする、請求項１に記載の水性インクジェットインク。
【請求項３】
前記ジオール系水溶性有機溶剤が、ＨＯ−Ｒ３−ＯＨ（式中、Ｒ３は炭素数３〜６の直鎖状または分岐状のアルキレン基である）で表されるジオール化合物であることを特徴とする、請求項２に記載の水性インクジェットインク。
【請求項４】
前記第１のモノオール系溶媒が、ジエチレングリコールモノブチルエーテルおよびトリエチレングリコールモノブチルエーテルからなる群より選ばれる少なくとも１種のモノオール系溶媒であることを特徴とする、請求項１〜３のいずれか１項に記載の水性インクジェットインク。
【請求項５】
前記第２のモノオール系溶媒が、ジプロピレングリコールモノメチルエーテルおよびトリプロピレングリコールモノメチルエーテルからなる群より選ばれる少なくとも１種のモノオール系溶媒であることを特徴とする、請求項１〜４のいずれか１項に記載の水性インクジェットインク。
【請求項６】
前記第３のモノオール系溶媒が、３−メトキシ−１−ブタノールであることを特徴とする、請求項１〜５のいずれか１項に記載の水性インクジェットインク。
【請求項７】
前記第１のモノオール系溶媒が、トリエチレングリコールモノブチルエーテルであり、前記第２のモノオール系溶媒が、ジプロピレングリコールモノメチルエーテルおよびトリプロピレングリコールモノメチルエーテルからなる群より選ばれる少なくとも１種のモノオール系溶媒であり、前記第３のモノオール系溶媒が、３−メトキシ−１−ブタノールであることを特徴とする、請求項１または２に記載の水性インクジェットインク。
【請求項８】
前記樹脂微粒子（Ｅ）が、少なくとも表層部にアクリル樹脂またはウレタン樹脂を含有することを特徴とする、請求項１〜７のいずれか１項に記載の水性インクジェットインク。
【請求項９】
前記界面活性剤（Ｄ）が、シリコーン系界面活性剤であることを特徴とする、請求項１〜８のいずれか１項に記載の水性インクジェットインク。
【請求項１０】
請求項１〜９のいずれか１項に記載の水性インクジェットインクを、非吸収性基材を有するメディアに吐出する工程、および前記メディアに吐出された水性インクジェットインクを乾燥して、インク塗膜を形成する工程を含む、インクジェット記録方法。
【請求項１１】
前記非吸収性基材が、ポリ塩化ビニル基材である、請求項１０に記載のインクジェット記録方法。
【請求項１２】
非吸収性基材を有するメディアを搬送する搬送部と、
前記搬送したメディアを加熱する加熱部と、
前記加熱されたメディアにインクジェットインクを吐出する吐出部と、
前記インクジェットインクを収容し、前記吐出部にインクジェットインクを供給するインク収容部と、
を備えるインクジェット記録装置であって、
前記インクジェットインクが、請求項１〜９のいずれか１項に記載の水性インクジェットインクである、インクジェット記録装置。
【発明の詳細な説明】
【技術分野】
【０００１】
本発明は、水性インクジェットインクに関する。本発明はまた、インクジェット記録方法、およびインクジェット記録装置に関する。
【背景技術】
【０００２】
インクジェット記録方式を採用したインクジェットプリンタは、操作が容易で騒音が小さく、カラー印刷が容易である等の利点があることから、家庭およびオフィスでの出力機器として広く普及している。近年では、インクジェットプリンタは、例えばディスプレイ、ポスター、掲示板等の産業用途にも利用されている。
【０００３】
インクジェット記録方式は、非常に微細なノズルからインク液滴をメディアに直接吐出し、付着させて文字や画像を得る記録方式である。産業用途においては、メディアとして、非吸収性基材が用いられることが多い。代表的な非吸収性基材の一つとして、ポリ塩化ビニル（ＰＶＣ）基材が挙げられる。
【０００４】
ＰＶＣ基材への印刷（画像形成）には、グリコールエーテル系溶剤と樹脂溶解溶剤（例、ラクトン類等）とを含むエコソルベント系インクジェットインクが適している。エコソルベント系インクジェットインクは、ＰＶＣ基材表面を溶解し、顔料および定着樹脂がＰＶＣ基材表面をコートすることにより画像を形成する。そのため、エコソルベント系インクジェットインクによれば、滲みが少ないなど良好な画像品質を得ることができ、定着性も高い。
【０００５】
しかしながら、エコソルベント系インクジェットインクは、揮発した溶剤の環境および人体への悪影響が懸念されている。そのため、ＰＶＣ基材への印刷に適した水性インクジェットインクが望まれており、その開発が進められている。このような水性インクジェットインクは、典型的には、水、水溶性有機溶剤、色材、および定着成分として樹脂微粒子を含有する（例えば、特許文献１参照）。
【先行技術文献】
【特許文献】
【０００６】
【特許文献１】特開２０１５−１９３７８８号公報
【発明の概要】
【発明が解決しようとする課題】
【０００７】
上記の樹脂微粒子を含有する水性インクジェットインクは、オフセットコート紙などに対しては鮮明な画像を形成することできるが、ＰＶＣ基材に対しては鮮明な画像が得られ難い。すなわち、上記の水性インクジェットインクをＰＶＣ基材への画像形成に用いた際には、画像が滲み易いという問題がある。また、特に低解像度の画像形成においては、光学濃度が低いという問題がある。加えて、上記の水性インクジェットインクは、エコソルベント系インクジェットインクのようにＰＶＣ基材を溶解するものではないため、高い画像の定着性が得られないという問題もある。さらに、上記の水性インクジェットインクは、高い保存安定性が求められている。
【０００８】
本発明はかかる点に鑑みてなされたものであり、その目的は、保存安定性に優れ、ＰＶＣ基材への印刷に用いた場合に、滲みが少なく、高い光学濃度で定着性に優れる画像を形成可能な水性インクジェットインクを提供することを目的とする。
【課題を解決するための手段】
【０００９】
本発明の水性インクジェットインクは、少なくとも水（Ａ）、色材（Ｂ）、水溶性有機溶剤成分（Ｃ）、界面活性剤（Ｄ）、および樹脂微粒子（Ｅ）を含有する。前記水溶性有機溶剤成分（Ｃ）は、Ｒ１Ｏ（ＣＨ２ＣＨ２Ｏ）ｍＯＨ（式中、Ｒ１は炭素数１〜４の直鎖状または分岐状のアルキル基を表し、ｍは２または３の整数を表す）で表される第１のモノオール系溶媒と、Ｒ２Ｏ（Ｃ３Ｈ６Ｏ）ｎＯＨ（式中、Ｒ２は炭素数１〜４の直鎖状または分岐状のアルキル基を表し、ｎは２または３の整数を表す）で表される第２のモノオール系溶媒と、３−メトキシ−１−ブタノールおよび３−メトキシ−３−メチル−１−ブタノールからなる群より選ばれる少なくとも１種である第３のモノオール系溶媒とを含有する。前記第３のモノオール系溶媒のインク中の含有量は、８質量％以上２７質量％以下である。前記第１のモノオール系溶媒のインク中の含有量は、０．５質量％以上９質量％以下である。前記第２のモノオール系溶媒のインク中の含有量は、０．５質量％以上９質量％以下である。前記水溶性有機溶剤成分（Ｃ）のインク中の含有量は、１５質量％以上４２質量％以下である。
【００１０】
本発明のインクジェット記録方法は、上述の水性インクジェットインクを、非吸収性基材を有するメディアに吐出する工程、および前記メディアに吐出された水性インクジェットインクを乾燥して、インク塗膜を形成する工程を含む。
【００１１】
本発明のインクジェット記録装置は、非吸収性基材を有するメディアを搬送する搬送部と、前記搬送したメディアを加熱する加熱部と、前記加熱されたメディアにインクジェットインクを吐出する吐出部と、前記インクジェットインクを収容し、前記吐出部にインクジェットインクを供給するインク収容部と、を備える。当該インクジェットインクは、上述の水性インクジェットインクである。
【発明の効果】
【００１２】
本発明によれば、保存安定性に優れ、ＰＶＣ基材への印刷に用いた場合に、滲みが少なく、高い光学濃度で定着性に優れる画像を形成可能な水性インクジェットインクが提供される。
【図面の簡単な説明】
【００１３】
【図１】本発明のインクジェット記録装置の一実施形態の概念図である。
【発明を実施するための形態】
【００１４】
本発明の水性インクジェットインクは、少なくとも水（Ａ）、色材（Ｂ）、水溶性有機溶剤成分（Ｃ）、界面活性剤（Ｄ）、および樹脂微粒子（Ｅ）を含有する。ここで、水溶性有機溶剤成分（Ｃ）は、Ｒ１Ｏ（ＣＨ２ＣＨ２Ｏ）ｍＯＨ（式中、Ｒ１は炭素数１〜４の直鎖状または分岐状のアルキル基を表し、ｍは２または３の整数を表す）で表される第１のモノオール系溶媒（以下、「モノオール系溶媒（１）」ともいう）と、Ｒ２Ｏ（Ｃ３Ｈ６Ｏ）ｎＯＨ（式中、Ｒ２は炭素数１〜４の直鎖状または分岐状のアルキル基を表し、ｎは２または３の整数を表す）で表される第２のモノオール系溶媒（以下、「モノオール系溶媒（２）」ともいう）と、３−メトキシ−１−ブタノールおよび３−メトキシ−３−メチル−１−ブタノールからなる群より選ばれる少なくとも１種である第３のモノオール系溶媒（以下、「モノオール系溶媒（３）」ともいう）とを含有する。モノオール系溶媒（３）のインク中の含有量は、８質量％以上２７質量％以下である。モノオール系溶媒（１）のインク中の含有量は、０．５質量％以上９質量％以下である。モノオール系溶媒（２）のインク中の含有量は、０．５質量％以上９質量％以下である。水溶性有機溶剤成分（Ｃ）のインク中の含有量は、１５質量％以上４２質量％以下である。
【００１５】
〔水（Ａ）〕
本発明の水性インクジェットインクは、水（Ａ）を含有する。水（Ａ）を含有することにより、本発明の水性インクジェットインクは、環境負荷が小さいという利点を有する。本発明に使用される水（Ａ）には特に制限はないが、不純物の混入を防止する観点から、イオン交換水、限外濾過水、逆浸透水、蒸留水、または超純水が好ましく、イオン交換水がより好ましい。
【００１６】
本発明の水性インクジェットインク中の水（Ａ）の含有量は、４０質量％以上が好ましく、４５質量％以上がより好ましく、５０質量％以上がさらに好ましい。一方、８０質量％以下が好ましく、７５質量％以下がより好ましく、７０質量％以下がさらに好ましい。
【００１７】
〔色材（Ｂ）〕
色材（Ｂ）としては、例えば、染料、顔料等が挙げられる。色材（Ｂ）は、１種単独で、または２種以上を任意の比率で組み合わせて用いることができる。
【００１８】
染料としては、例えば、水性インクジェットインクに使用可能であることが知られている各種染料を使用することができ、その例としては、直接染料、酸性染料、食用染料、塩基性染料、反応性染料、分散染料、建染染料等が挙げられる。
【００１９】
さらに詳しくは、シアン染料としては、例えば、Ｃ．Ｉ．Ａｃｉｄ  Ｂｌｕｅ  １，７，９，１５，２２，２３，２５，２７，２９，４０，４１，４３，４５，５４，５９，６０，６２，７２，７４，７８，８０，８２，８３，９０，９２，９３，１００，１０２，１０３，１０４，１１２，１１３，１１７，１２０，１２６，１２７，１２９，１３０，１３１，１３８，１４０，１４２，１４３，１５１，１５４，１５８，１６１，１６６，１６７，１６８，１７０，１７１，１８２，１８３，１８４，１８７，１９２，１９９，２０３，２０４，２０５，２２９，２３４，２３６，２４９，Ｃ．Ｉ．Ｄｉｒｅｃｔ  Ｂｌｕｅ  １，２，６，１５，２２，２５，４１，７１，７６，７７，７８，８０，８６，８７，９０，９８，１０６，１０８，１２０，１２３，１５８，１６０，１６３，１６５，１６８，１９２，１９３，１９４，１９５，１９６，１９９，２００，２０１，２０２，２０３，２０７，２２５，２２６，２３６，２３７，２４６，２４８，２４９，Ｃ．Ｉ．Ｒｅａｃｔｉｖｅ  Ｂｌｕｅ  １，２，３，４，５，７，８，９，１３，１４，１５，１７，１８，１９，２０，２１，２５，２６，２７，２８，２９，３１，３２，３３，３４，３７，３８，３９，４０，４１，４３，４４，４６，Ｃ．Ｉ．Ｆｏｏｄ  Ｂｌｕｅ  １，２，Ｃ．Ｉ．Ｂａｓｉｃ  Ｂｌｕｅ  ９，２５，２８，２９，４４等が挙げられる。
【００２０】
マゼンタ染料としては、例えば、Ｃ．Ｉ．Ａｃｉｄ  Ｒｅｄ  １，６，８，９，１３，１４，１８，２６，２７，３２，３５，３７，４２，５１，５２，５７，７５，７７，８０，８２，８５，８７，８８，８９，９２，９４，９７，１０６，１１１，１１４，１１５，１１７，１１８，１１９，１２９，１３０，１３１，１３３，１３４，１３８，１４３，１４５，１５４，１５５，１５８，１６８，１８０，１８３，１８４，１８６，１９４，１９８，２０９，２１１，２１５，２１９，２４９，２５２，２５４，２６２，２６５，２７４，２８２，２８９，３０３，３１７，３２０，３２１，３２２，Ｃ．Ｉ．Ｄｉｒｅｃｔ  Ｒｅｄ  １，２，４，９，１１，１３，１７，２０，２３，２４，２８，３１，３３，３７，３９，４４，４６，６２，６３，７５，７９，８０，８１，８３，８４，８９，９５，９９，１１３，１９７，２０１，２１８，２２０，２２４，２２５，２２６，２２７，２２８，２２９，２３０，２３１，Ｃ．Ｉ．Ｒｅａｃｔｉｖｅ  Ｒｅｄ  １，２，３，４，５，６，７，８，１１，１２，１３，１５，１６，１７，１９，２０，２１，２２，２３，２４，２８，２９，３１，３２，３３，３４，３５，３６，３７，３８，３９，４０，４１，４２，４３，４５，４６，４９，５０，５８，５９，６３，６４，Ｃ．Ｉ．Ｆｏｏｄ  Ｒｅｄ  ７，９，１４等が挙げられる。
【００２１】
イエロー染料としては、例えば、Ｃ．Ｉ．Ａｃｉｄ  Ｙｅｌｌｏｗ  １，３，１１，１７，１９，２３，２５，２９，３６，３８，４０，４２，４４，４９，５９，６１，７０，７２，７５，７６，７８，７９，９８，９９，１１０，１１１，１２７，１３１，１３５，１４２，１６２，１６４，１６５，Ｃ．Ｉ．Ｄｉｒｅｃｔ  Ｙｅｌｌｏｗ  １，８，１１，１２，２４，２６，２７，３３，３９，４４，５０，５８，８５，８６，８７，８８，８９，９８，１１０，１３２，１４２，１４４，Ｒｅａｃｔｉｖｅ  Ｙｅｌｌｏｗ  １，２，３，４，６，７，１１，１２，１３，１４，１５，１６，１７，１８，２２，２３，２４，２５，２６，２７，３７，４２，Ｃ．Ｉ．Ｆｏｏｄ  Ｙｅｌｌｏｗ  ３，４等が挙げられる。
【００２２】
ブラック染料としては、例えば、Ｃ．Ｉ．Ｄｉｒｅｃｔ  Ｂｌａｃｋ  １，７，１９，３２，５１，７１，１０８，１４６，１５４，１６６等が挙げられる。
【００２３】
シアン、マゼンタ、イエロー、ブラック以外の染料としては、例えば、Ｃ．Ｉ．Ａｃｉｄ  Ｇｒｅｅｎ  ７，１２，２５，２７，３５，３６，４０，４３，４４，６５，７９，Ｃ．Ｉ．Ｄｉｒｅｃｔ  Ｇｒｅｅｎ  １，６，８，２６，２８，３０，３１，３７，５９，６３，６４，Ｃ．Ｉ．Ｒｅａｃｔｉｖｅ  Ｇｒｅｅｎ  ６，７，Ｃ．Ｉ．Ｄｉｒｅｃｔ  Ｖｉｏｌｅｔ  ２，４８，６３，９０，Ｃ．Ｉ．Ｒｅａｃｔｉｖｅ  Ｖｉｏｌｅｔ  １，５，９，１０等が挙げられる。
【００２４】
顔料としては、無機顔料と有機顔料の何れも使用することができる。
【００２５】
有機顔料の例としては、アゾ顔料（例、アゾレーキ、不溶性アゾ顔料、縮合アゾ顔料、キレートアゾ顔料など）、多環式顔料（例、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料など）、染料キレート（例、塩基性染料型キレート、酸性染料型キレートなど）、ニトロ顔料、ニトロソ顔料、アニリンブラック等が挙げられる。
【００２６】
無機顔料の例としては、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、コバルトバイオレット等が挙げられる。
【００２７】
より具体的には、ブラック系顔料としては、例えば、ファーネスブラック、ランプブラック、アセチレンブラック、チャンネルブラック等のカーボンブラック（Ｃ．Ｉ．ピグメントブラック７）類；銅、鉄（Ｃ．Ｉ．ピグメントブラック１１）等の金属類；酸化チタン等の金属酸化物類；アニリンブラック（Ｃ．Ｉ．ピグメントブラック１）等の有機顔料が挙げられる。
【００２８】
シアン系顔料としては、例えば、Ｃ．Ｉ．ピグメントブルー１，２，３，１５：１，１５：３，１５：４，１５：６，１６，２１，２２，６０，６４等が挙げられる。
【００２９】
マゼンタ系顔料としては、例えば、Ｃ．Ｉ．ピグメントレッド５，７，９，１２，３１，４８，４９，５２，５３，５７，９７，１１２，１２０，１２２，１４６，１４７，１４９，１５０，１６８，１７０，１７７，１７８，１７９，１８４，１８８，２０２，２０６，２０７，２０９，２３８，２４２，２５４，２５５，２６４，２６９，２８２；Ｃ．Ｉ．ピグメントバイオレット１９，２３，２９，３０，３２，３６，３７，３８，４０，５０等が挙げられる。
【００３０】
イエロー系顔料としては、例えば、Ｃ．Ｉ．ピグメントイエロー１，２，３，１２，１３，１４，１６，１７，２０，２４，７４，８３，８６，９３，９４，９５，１０９，１１０，１１７，１２０，１２５，１２８，１２９，１３７，１３８，１３９，１４７，１４８，１５０，１５１，１５４，１５５，１６６，１６８，１８０，１８５，２１３等が挙げられる。
【００３１】
その他の色の顔料としては、例えば、Ｃ．Ｉ．ピグメントグリーン７，１０，３６；Ｃ．Ｉ．ピグメントブラウン３，５，２５，２６；Ｃ．Ｉ．ピグメントオレンジ２，５，７，１３，１４，１５，１６，２４，３４，３６，３８，４０，４３，６２，６３，６４，７１等が挙げられる。
【００３２】
これらのうち、高い光学濃度な画像を形成可能であるという本発明の効果が特に高いことから、ブラック系顔料が好ましく、カーボンブラック類がより好ましい。
【００３３】
また、表面に、カルボキシル基、スルホン酸基、ホスホン酸基、ヒドロキシル基等の親水性基を有する顔料（いわゆる「自己分散顔料」）を使用することができる。カーボンブラック系自己分散顔料としては、例えば、ＣＡＢ−Ｏ−ＪＥＴ２００、３００、３５２Ｋ、４００（以上、キャボット社製）等が挙げられる。シアン系自己分散顔料としては、例えば、ＣＡＢ−Ｏ−ＪＥＴ２５０Ｃ、４５０Ｃ、５５４Ｂ（以上、キャボット社製）等が挙げられる。マゼンタ系自己分散顔料としては、例えば、ＣＡＢ−Ｏ−ＪＥＴ２６０Ｍ、２６５Ｍ、４６５Ｍ（以上、キャボット社製）等が挙げられる。イエロー系自己分散顔料としては、例えば、ＣＡＢ−Ｏ−ＪＥＴ２７０Ｙ、４７０Ｙ、７４０Ｙ（以上、キャボット社製）等が挙げられる。分散剤を用いることなく水（Ａ）に分散可能であることから、色材（Ｂ）としては、自己分散顔料が好ましい。
【００３４】
本発明の水性インクジェットインク中の色材（Ｂ）の含有量は、固形分量（固形分濃度）として、０．１質量％以上が好ましく、０．５質量％以上がより好ましく、１質量％以上がさらに好ましい。一方、２０質量％以下が好ましく、１５質量％以下がより好ましく、１２質量％以下がさらに好ましい。
【００３５】
〔水溶性有機溶剤成分（Ｃ）〕
本明細書において、水溶性有機溶剤成分（Ｃ）を構成する「水溶性有機溶剤」とは、水に対する２０℃における溶解度が５００ｇ／Ｌ以上である有機溶剤のことをいう。水溶性有機溶剤として好ましくは、２０℃において水に任意の割合で均一に混和する有機溶剤である。
【００３６】
水溶性有機溶剤成分（Ｃ）は、少なくともＲ１Ｏ（ＣＨ２ＣＨ２Ｏ）ｍＯＨ（式中、Ｒ１は炭素数１〜４の直鎖状または分岐状のアルキル基を表し、ｍは２または３の整数を表す）で表されるモノオール系溶媒（１）と、Ｒ２Ｏ（Ｃ３Ｈ６Ｏ）ｎＯＨ（式中、Ｒ２は炭素数１〜４の直鎖状または分岐状のアルキル基を表し、ｎは２または３の整数を表す）で表されるモノオール系溶媒（２）と、３−メトキシ−１−ブタノールおよび３−メトキシ−３−メチル−１−ブタノールからなる群より選ばれる少なくとも１種であるモノオール系溶媒（３）とを含有する。
【００３７】
３−メトキシ−１−ブタノールおよび３−メトキシ−３−メチル−１−ブタノールからなる群より選ばれる少なくとも１種であるモノオール系溶媒（３）は、本発明の水性インクジェットインクの初期乾燥性を高める成分である。モノオール系溶媒（３）としては、画像滲みの発生をより抑制できることから、３−メトキシ−１−ブタノールが好ましい。本発明の水性インクジェットインク中のモノオール系溶媒（３）の含有量は、８質量％以上２７質量％以下である。含有量が８質量％未満だと、インクの初期乾燥の速度が遅くなり、これにより画像滲みの発生や、画像が不均一になることによる光学濃度の低下が起こる。よって含有量は、好ましくは１０質量％以上であり、より好ましくは１２．５質量％以上であり、さらに好ましくは１５質量％以上である。一方、含有量が２７質量％を超えると、インクの保存安定性が低下し、また、インクの初期乾燥が早くなりすぎて、ベタ画像の埋まり具合が悪くなり、光学濃度の低下が起こる。よって含有量は、好ましくは２５質量％以下であり、より好ましくは２３質量％以下である。
【００３８】
Ｒ１Ｏ（ＣＨ２ＣＨ２Ｏ）ｍＯＨ（式中、Ｒ１は炭素数１〜４の直鎖状または分岐状のアルキル基を表し、ｍは２または３の整数を表す）で表されるモノオール系溶媒（１）は、本発明の水性インクジェットインクの定着性を高める成分である。モノオール系溶媒（１）は、特にＰＶＣ基材を溶解可能であることから、ＰＶＣ基材に対する定着性を高めるために特に有効な成分である。モノオール系溶媒（１）としては、上記の式を満たすモノオール系溶媒を、単独でまたは２種以上を組み合わせて用いることができる。上記の式において、Ｒ１は、好ましくは炭素数３または４の直鎖状または分岐状のアルキル基であり、より好ましくはｎ−ブチル基である。モノオール系溶媒（１）としては、保存安定性がより高いことから、ジエチレングリコールモノブチルエーテル、およびトリエチレングリコールモノブチルエーテルが好ましく、トリエチレングリコールモノブチルエーテルがより好ましい。本発明の水性インクジェットインク中のモノオール系溶媒（１）の含有量は、０．５質量％以上９質量％以下である。含有量が０．５質量％未満だと、ＰＶＣ基材に対する十分な定着性が得られない。よって含有量は、好ましくは１質量％以上、より好ましくは２質量％以上、さらに好ましくは３質量％以上である。一方、含有量が９質量％を超えると、インクの保存安定性が低下する。よって含有量は、好ましくは８．５質量％以下、より好ましくは８質量％以下、さらに好ましくは７．５質量％以下である。
【００３９】
Ｒ２Ｏ（Ｃ３Ｈ６Ｏ）ｎＯＨ（式中、Ｒ２は炭素数１〜４の直鎖状または分岐状のアルキル基を表し、ｎは２または３の整数を表す）で表されるモノオール系溶媒（２）は、本発明の水性インクジェットインクの濡れ拡がり易さを改善して、画像滲みの発生を抑制するとともに光学濃度を向上させる成分である。モノオール系溶媒（２）としては、上記の式を満たすモノオール系溶媒を、単独でまたは２種以上を組み合わせて用いることができる。上記の式において、Ｒ２は、好ましくはメチル基およびエチル基であり、より好ましくはメチル基である。モノオール系溶媒（２）としては、ジプロピレングリコールモノメチルエーテルおよびトリプロピレングリコールモノメチルエーテルが好ましい。なお、プロピレン基（Ｃ３Ｈ６）は、ｎ−プロピレン基およびイソプロピレン基のいずれであってもよく、イソプロピレン基であることが好ましい。本発明の水性インクジェットインク中のモノオール系溶媒（２）の含有量は、０．５質量％以上９質量％以下である。含有量が０．５質量％未満だと、画像滲みが発生しやすくなり、また十分な高さの光学濃度が得られない。よって含有量は、好ましくは１質量％以上、より好ましくは２質量％以上、さらに好ましくは３質量％以上である。また、含有量は、一方、含有量が９質量％を超えると、画像滲みが発生する。よって含有量は、好ましくは８．５質量％以下、より好ましくは８質量％以下、さらに好ましくは７．５質量％以下である。
【００４０】
水溶性有機溶剤成分（Ｃ）は、本発明の効果を著しく損なわない範囲内でその他の水溶性有機溶剤、すなわち、モノオール系溶媒（１）、モノオール系溶媒（２）、およびモノオール系溶媒（３）以外の水溶性有機溶剤を含有していてもよい。その他の水溶性有機溶剤としては、水性インクジェットインクの水溶性有機溶剤として公知のものを特に制限なく用いることができる。その例としては、エチレングリコール（沸点：約１９６℃）、ジエチレングリコール（沸点：約２４４℃）、トリエチレングリコール（沸点：約２８７℃）、プロピレングリコール（沸点：約１８８℃）、ジプロピレングリコール（沸点：約２３０℃）、１，３−プロパンジオール（沸点：約２１３℃）、１，２−ブタンジオール（沸点：約１９４℃）、２，３−ブタンジオール（沸点：約１８３℃）、１，３−ブタンジオール（沸点：約２０８℃）、２，２−ジメチル−１，３−プロパンジオール（沸点：約２０８℃）、２−メチル−１，３−プロパンジオール（沸点：約２１３℃）、１，２−ペンタンジオール（沸点：約２０６℃）、２，４−ペンタンジオール（沸点：約２０１℃）、２−メチル−２，４−ペンタンジオール（沸点：約１９８℃）、１，５−ペンタンジオール（沸点：約２４２℃）、１，２−ヘキサンジオール（沸点：約２２４℃）、１，６−ヘキサンジオール（沸点：約２５０℃）、２−エチル−１，３−ヘキサンジオール（沸点：約２４３℃）等のジオール類；、プロピレングリコール−ｎ−ブチルエーテル（沸点：約１７１℃）、プロピレングリコール−ｔ−ブチルエーテル（沸点：約１５３℃）、エチレングリコール−ｎ−プロピルエーテル（沸点：約１５０℃）、エチレングリコール−ｎ−ブチルエーテル（沸点：約１７１℃）、１−エトキシ−２−プロパノール（沸点：約１３２℃）等のモノオール類；含窒素系水溶性有機溶媒などが挙げられる。これらは１種単独で、または２種以上を任意の比率で組み合わせて用いることができる。
【００４１】
本発明の水性インクジェットインクの保存安定性がより向上することから、水溶性有機溶剤成分（Ｃ）は、ジオール類（すなわち、ジオール系水溶性有機溶媒）を含有することが好ましい。ジオール類としては、ＨＯ−Ｒ３−ＯＨ（式中、Ｒ３は炭素数３〜６の直鎖状または分岐状のアルキレン基である）を満たすものが好ましい。ジオール類の含有量は、本発明の水性インクジェットインク中、１質量％以上が好ましく、２質量％以上がより好ましく、３質量％以上がさらに好ましい。一方、画像滲みの発生抑制および定着性の観点から、含有量は、１２質量％以下が好ましく、１０質量％以下がより好ましく、８質量％以下がさらに好ましい。
【００４２】
好適な水溶性有機溶剤の組み合わせは、モノオール系溶媒（１）としてトリエチレングリコールモノブチルエーテル、モノオール系溶媒（２）としてジプロピレングリコールモノメチルエーテルおよびトリプロピレングリコールモノメチルエーテルからなる群より選ばれる少なくとも１種のモノオール系溶媒、ならびにモノオール系溶媒（３）として３−メトキシ−１−ブタノールの組み合わせである。
【００４３】
本発明の水性インクジェットインク中の水溶性有機溶剤成分（Ｃ）の含有量（すなわち、水溶性有機溶剤の総含有量）は１５質量％以上４２質量％以下である。水溶性有機溶剤成分（Ｃ）の含有量が１５％質量未満だと、上述の水溶性有機溶剤を添加することにより発揮される効果を十分に得ることができない。よって含有量は、好ましくは２０質量％以上、より好ましくは２５質量％以上、さらに好ましくは２７．５質量％以上である。一方、水溶性有機溶剤成分（Ｃ）の含有量が４２質量％を超えると、インクの保存安定性が低下する。よって含有量は、好ましくは４０質量％以下であり、より好ましくは、３８質量％以下であり、さらに好ましくは３５質量％以下である。
【００４４】
〔界面活性剤（Ｄ）〕
界面活性剤（Ｄ）は、表面張力および界面張力を適正化する成分である。界面活性剤（Ｄ）としては、水性インクジェットインクに使用可能な公知のものを特に制限なく使用することができ、その例として、アニオン性界面活性剤、ノニオン性界面活性剤、カチオン性界面活性剤、両性界面活性剤等が挙げられる。なかでも、アニオン性界面活性剤、またはノニオン性界面活性剤が好ましく、ノニオン性界面活性剤がより好ましい。
【００４５】
ノニオン性界面活性剤としては、例えば、ソルビット系界面活性剤、アセチレングリコール系界面活性剤、ソルビタン系界面活性剤、シリコーン系界面活性剤、ポリオキシエチレンアルキルエーテル系界面活性剤、フッ素系界面活性剤等が挙げられる。なかでも、少量で静的表面張力を調整でき、これによりＰＶＣ基材への濡れ性を大きく向上できることから、シリコーン系界面活性剤が好ましい。
【００４６】
シリコーン系界面活性剤としては、公知のシリコーン系界面活性剤を特に制限なく用いることができ、市販品としても入手可能である。市販品の例としては、ＢＹＫ−３０６、ＢＹＫ−３０７、ＢＹＫ−３３３、ＢＹＫ−３４５、ＢＹＫ−３４６、ＢＹＫ−３４７、ＢＹＫ−３４８、ＢＹＫ−３４９（以上、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、（以上、信越化学工業社製）、シルフェイスＳＡＧ００２、ＳＡＧ００５、ＳＡＧ５０３Ａ、ＳＡＧ００８（以上、日信化学工業社製）等が挙げられる。シリコーン系界面活性剤としては、ポリエーテル変性シリコーン系界面活性剤が好ましい。
【００４７】
本発明のインクジェットインク中の界面活性剤（Ｄ）の含有量は、使用する界面活性剤の種類に応じて、インクの表面張力および界面張力が適正化されるように適宜決定すればよい。界面活性剤（Ｄ）の含有量は、好ましくは０．０５質量％以上、より好ましくは０．２質量％以上である。一方、含有量は、好ましくは５質量％以下、より好ましくは３質量％以下、さらに好ましくは２．５質量％以下である。
【００４８】
〔樹脂微粒子（Ｅ）〕
樹脂微粒子（Ｅ）は、非吸収性基材に対する定着性、および塗膜耐性を高めるバインダー成分である。
【００４９】
樹脂微粒子（Ｅ）には、水性インクジェットインクに使用可能な公知のものを特に制限なく使用することができる。樹脂微粒子（Ｅ）を構成する樹脂としては、例えば、ウレタン樹脂、ポリエステル樹脂、アクリル樹脂、酢酸ビニル樹脂、ポリエチレン樹脂、ポリプロピレン樹脂、フルオロオレフィン樹脂、ブタジエン樹脂、スチレン樹脂、スチレン−ブタジエン樹脂、スチレン−アクリル樹脂、エチレン−アクリル樹脂、塩化ビニル樹脂、アクリル−シリコーン樹脂などが挙げられる。
【００５０】
また、樹脂微粒子（Ｅ）は、１種の樹脂によって構成されている必要はなく、２種以上の樹脂によって構成されていてもよい。例えば、コア部とシェル部で樹脂の組成が異なるコア−シェル型の樹脂微粒子や、粒径を制御するために予め作製されたアクリル系微粒子（シード粒子）に対して、さらに異種のモノマーを乳化重合させることにより得られる微粒子などを用いることができる。さらには、アクリル樹脂からなる微粒子とウレタン樹脂からなる微粒子など、異なる樹脂によって構成された樹脂微粒子を化学的に結合させたハイブリッド型の樹脂微粒子などを用いることができる。
【００５１】
定着性およびインク安定性が特に優れることから、樹脂微粒子（Ｅ）は、少なくとも表層部にアクリル樹脂またはウレタン樹脂を含むことが好ましく、少なくとも表層部にウレタン樹脂を含むことがより好ましい。
【００５２】
樹脂微粒子（Ｅ）の体積平均粒径は、特に制限はないが、１０〜１０００ｎｍが好ましく、１０〜２００ｎｍがより好ましく、１０〜５０ｎｍがさらに好ましい。なお、体積平均粒径は、例えば、粒度分布測定装置を用いて求めることができる。
【００５３】
本発明のインクジェットインク中の樹脂微粒子（Ｅ）の含有量は、固形分量（固形分濃度）として、３質量％以上が好ましく、５質量％以上がより好ましい。一方、１５質量％以下が好ましく、１２質量％以下がより好ましい。
【００５４】
本発明の水性インクジェットインクは、上記成分以外にも、本発明の効果を著しく損なわない範囲内で、防腐剤、防カビ剤、増粘剤、消泡剤、ｐＨ調整剤、防錆剤等の添加剤を含有していてもよい。
【００５５】
本発明の水性インクジェットインクは、各成分を公知方法に従い混合することにより作製することができる。例えば、水（Ａ）、色材（Ｂ）を含むエマルジョン、水溶性有機溶剤（Ｃ）、界面活性剤（Ｄ）、樹脂微粒子（Ｅ）を含むエマルジョン、およびその他の成分を、公知の混合装置または撹拌装置を用いて均一に混合することにより作製することができる。
【００５６】
本発明の水性インクジェットインクは、特定種類の水溶性有機溶剤を特定量含有することにより、保存安定性に優れる。また、従来の水性インクジェットインクでは、インクジェットヘッドからＰＶＣ基材上に吐出されたインク滴が濡れ拡がる前に隣接ドットが着弾し、インク滴同士の合一が起こり、その結果、画像滲みが生じていた。また、インクの乾燥過程における濡れ拡がりが不十分であるため、低解像度のベタ画像では埋まり具合が悪くなり、光学濃度の低下が起こっていた。また、初期乾燥性の悪さも画像滲みの発生と光学濃度の低下に起因していた。しかしながら、本発明の水性インクジェットインクは、特定種類の水溶性有機溶剤を特定量含有することにより、ＰＶＣ基材上での濡れ拡がり易さと初期乾燥性が向上しているため、ＰＶＣ基材への印刷に用いた場合には、滲みが少なく、高い光学濃度の画像を形成することができる。このとき、画像が低解像度である場合に、光学濃度向上効果が特に大きい。また、本発明の水性インクジェットインクは、ＰＶＣ基材を溶解する水溶性有機溶媒を含有しており、これにより特にＰＶＣ基材への印刷に用いた場合に、定着性に優れる画像を形成することができる。
【００５７】
以上のように、本発明の水性インクジェットインクは、ＰＶＣ基材への印刷に特に好適に用いることができる。また、ＰＶＣ基材以外の、ＰＥＴ基材、表面処理（コロナ処理）したポリエチレン（ＰＥ）基材、表面処理（コロナ処理）したポリプロピレン（ＰＰ）基材、ポリスチレン基材等の非吸収性基材、およびアート紙、コート紙、キャスト紙、上質紙、合成紙、インクジェット用紙等の紙基材への印刷（画像形成）に用いることができ、非吸収性基材への印刷に好適に用いることができる。
【００５８】
そこで別の側面から、本発明は、上記の水性インクジェットインク（本発明の水性インクジェットインクとして説明したインク）を、非吸収性基材を有するメディアに吐出する工程（以下、「吐出工程」ともいう）、および当該メディアに吐出された水性インクジェットインクを乾燥して、インク塗膜を形成する工程（以下、「塗膜形成工程」ともいう）を含む、インクジェット記録方法である。
【００５９】
非吸収性基材としては、ＰＶＣ基材、ＰＥＴ基材、表面処理（コロナ処理）したＰＥ基材、表面処理（コロナ処理）したＰＰ基材、ポリスチレン基材等が挙げられ、なかでもＰＶＣ基材が好ましい。
【００６０】
メディアは、非吸収性基材の単層構造であってよく、複層構造であってもよい。メディアが複層構造である場合、例えば、メディアは、被印刷基材である非吸収基材と、粘着剤層等とを有していてもよい。
【００６１】
吐出工程において、インクジェットインクは、メディアの非吸収性基材上に吐出される。本発明のインクジェット記録方法は、吐出工程の前に、メディアを加熱する工程をさらに含んでいていてもよい。このとき、メディアの表面温度は、例えば３０℃以上であってかつメディアの軟化点未満（好ましくは３０〜８０℃）である。
【００６２】
塗膜形成工程において、乾燥を促進するために、メディアを加熱してもよい。このとき、メディアの表面温度は、例えば３０℃以上であってかつメディアの軟化点未満（好ましくは３０〜８０℃）である。
【００６３】
本発明のインクジェット記録方法は、塗膜形成工程の後に、メディアをカットする工程（以下、「カット工程」ともいう）をさらに含んでいてもよい。
【００６４】
本発明のインクジェット記録方法によれば、滲みが少なく、高い光学濃度で定着性に優れる画像を形成することが可能である。
【００６５】
本発明のインクジェット記録方法は、非吸収性基材を有するメディアを搬送する搬送部と、当該搬送したメディアを加熱する加熱部と、当該加熱されたメディアにインクジェットインクを吐出する吐出部と、当該インクジェットインクを収容し、当該吐出部にインクジェットインクを供給するインク収容部とを備え、当該インクジェットインクが、上記の水性インクジェットインク（本発明の水性インクジェットインクとして説明したインク）である、インクジェット記録装置を用いることにより好適に実施することができる。
【００６６】
例として、当該インクジェット記録装置の一実施形態を、図１を参照しながら説明する。図１は、本発明の一実施形態のインクジェット記録装置１００の概念図である。本実施形態のインクジェット記録装置１００は、非吸収性基材を有するメディア１０を搬送する搬送部２０として、供給ローラ２１、巻取ローラ２２、および搬送ローラ２３を備えている。供給ローラ２１からメディア１０が巻き出され、プラテン３０上を通過して搬送ローラ２３によって、メディア１０が搬送されて、巻取ローラ２２により巻き取られる。よって、本実施形態において、メディア１０の搬送方向は、供給ローラ２１から巻取ローラ２２に向かう方向である。なお、メディア１０は説明の便宜上図示されたものであって、インクジェット記録装置１００の構成要素ではない。メディア１０としては、非吸収性基材（特にＰＶＣ基材）を有するメディアが好適である。
【００６７】
インクジェット記録装置１００は、加熱部４０を備える。本実施形態では、加熱部４０は、メディア１０を加熱するプレヒータの役割を果たす。加熱部４０は、例えば、接触加熱式のシートヒータ、赤外線やマイクロ波を放射する輻射ヒータ、温風ヒータなどを有する。加熱部４０は、メディア１０の上部と下部のいずれに設置されてもよいし、上部と下部の両方に設置されてもよい。加熱部４０は、メディア１０の温度が例えば、３０℃以上であってかつメディアの軟化点未満（好ましくは３０〜８０℃）になるように加熱条件が設定されている。なお、加熱部４０の構成は、メディア１０にインクジェットインク１１が吐出される前にメディア１０を所定の温度にまで加熱できるものである限り、これに限られない。例えば、加熱部４０が、プラテン３０に内蔵されたプリントヒータとして構成されるなど、吐出部５０の下部に設けられている実施形態も可能である。
【００６８】
インクジェット記録装置１００は、インクジェットインク１１をメディア１０に吐出する吐出部５０を備える。本実施形態では、吐出部５０は、加熱部４０よりもメディア１０の搬送方向の下流側に備えられている。吐出部５０は、例えば、圧電素子の振動を利用して微細なノズルからインクジェットインク１１を液滴状に吐出するインクジェットヘッドを有する。インクジェット記録装置１００は、インク収容部６０を有しており、インク収容部６０は吐出部５０に接続されている。インク収容部６０は、例えば、インクカートリッジを有する。吐出前のインクジェットインク１１は、インク収容部６０に収容されており、収容されたインクジェットインク１１は適宜吐出部５０に供給される。ここで、インクジェットインク１１は、上述の水性インクジェットインク（本発明の水性インクジェットインク）である。
【００６９】
インクジェット記録装置１００は、吐出されたインクジェットインク１１を乾燥する乾燥部７０を有している。本実施形態では、乾燥部７０は、吐出部５０よりもメディア１０の搬送方向の下流側に備えられており、キャリッジ７１に内蔵されている。乾燥部７０は、例えば、赤外線やマイクロ波を放射する輻射ヒータ、温風ヒータ等のヒータ、またはエアブロー乾燥機を有する。乾燥部７０は、メディア１０上に付着したインクジェットインク１１を乾燥することにより画像記録が可能な乾燥条件に設定されている。この乾燥条件は、インクジェットインク１１が含む溶剤の種類と量に応じて適宜選択される。乾燥部７０として好ましくは、ヒータであり、当該ヒータは、メディア１０の温度が例えば、３０℃以上であってかつメディアの軟化点未満（好ましくは３０〜８０℃）になるように加熱条件が設定されている。なお、乾燥部７０は上記の態様に限られない。例えば、メディア１０の下部に設置されてもよい。具体的に例えば、乾燥部７０は、メディア１０の下部にあり、プラテン３０に内蔵されたポストヒータである実施形態も可能である。
【００７０】
本発明のインクジェット記録装置によれば、滲みが少なく、高い光学濃度で定着性に優れる画像を形成することが可能である。
【実施例】
【００７１】
以下、実施例を挙げて本発明を詳細に説明するが、本発明は、これら実施例に制限されるものではない。
【００７２】
〔インクジェットインクの調製〕
表１〜６に記載の各成分を、各表に示す質量割合で均一に混合して、各実施例および各比較例のインクジェットインクを得た。得られたインクジェットインクについて、下記の方法で保存安定性を評価した。また、得られたインクジェットインクについて、インクジェットプリンタを用いてＰＶＣフィルム上に印刷を行い、下記の方法で画像の滲み、光学濃度（ＯＤ値）、および定着性として耐擦過性を評価した。なお、印刷条件について、実施例１〜２３および比較例１〜１１では、印刷前にＰＶＣフィルムの表面温度を３０〜４５℃に加熱し、印刷後にＰＶＣフィルムの表面温度を６０℃に加熱した。実施例２４，２５および比較例１２，１３では、印刷前にＰＶＣフィルムの表面温度を３０〜４５℃に加熱し、印刷後にＰＶＣフィルムの表面温度を４０〜５０℃に加熱した。画像の滲み評価においては、１滴あたり２２ｐｌ、解像度６００ｄｐｉ×６００ｄｐｉの条件でフルベタ画像を形成しつつ、５ｐｔのＬドット白抜き文字を印刷した。ＯＤ値および耐擦過性評価においては、１滴あたり２２ｐｌ、解像度６００ｄｐｉ×６００ｄｐｉの条件でフルベタ画像を形成した。評価結果を表１〜６に示す。
【００７３】
〔保存安定性〕
４５℃の環境下にインクジェットインクを置き、３ヶ月間保存した。このとき、保存前後でのインク粘度を粘度計を用いて測定し、粘度変化率を求め、以下の基準で保存安定性を評価した。「○」および「△」を合格とした。
○：粘度変化率が±１０％以内である
△：粘度変化率が±１０％を超えるが±１５％以内である
×：粘度変化率が±１５％を超える
【００７４】
〔画像の滲み評価〕
Ｌドット白抜き文字の画像の滲みの程度を目視で観察した。観察結果から、以下の基準で滲みの程度を評価した。「○」および「△」を合格とした。
○：白抜き文字の視認性に優れる
△：白抜き文字が少し滲むものの、視認可能である
×：白抜き文字が視認困難にまで滲む
【００７５】
〔ＯＤ値評価〕
フルベタ画像のＯＤ値を３回測定し、その平均値を求め、以下の基準でＯＤ値を評価した。「○」および「△」を合格とした。
（実施例１〜２０および比較例１〜９）
○：２．０以上
△：１．８以上２．０未満
×：１．８未満
（実施例２４，２５および比較例１２，１３）
○：１．４以上
△：１．２以上１．４未満
×：１．２未満
【００７６】
〔耐擦過性評価〕
乾いた綿布を学振試験機に取り付け、５００ｇの重りをつけた状態でベタ画像を形成したインク塗膜上を１００回往復させた後、インク塗膜の状態を観察した。観察結果から、以下の基準で耐水性を評価した。「○」および「△」を合格とした。なお、実施例１〜２０および比較例１〜９については、ベタ画像形成直後に評価を行なった。
○：インク塗膜が取れない
△：インク塗膜の一部のみが取れる
×：インク塗膜の半分以上が取れる
【００７７】
【表１】
2018123293.tif 000002
【００７８】
【表２】
2018123293.tif 000003
【００７９】
【表３】
2018123293.tif 000004
【００８０】
【表４】
2018123293.tif 000005
【００８１】
【表５】
2018123293.tif 000006
【００８２】
【表６】
2018123293.tif 000007
【００８３】
【表７】
2018123293.tif 000008
【００８４】
（各表中の各成分についての数値は、質量割合を示す。）
ＣＡＢ−Ｏ−ＪＥＴ３００（キャボット社製）：ブラック系自己分散顔料（固形分１５質量％の水性エマルジョン）
ＣＡＢ−Ｏ−ＪＥＴ２６０Ｍ（キャボット社製）：マゼンダ系自己分散顔料（固形分１０質量％の水性エマルジョン）
ＳＡＧ５０３Ａ（日信化学工業社製）：シリコーン系界面活性剤「シルフェイスＳＡＧ５０３Ａ」
ＳＡＧ００２（日信化学工業社製）：シリコーン系界面活性剤「シルフェイスＳＡＧ００２」
ビニブラン７１５Ｓ（日信化学工業社製）：ポリ塩化ビニル−ポリウレタンのコアシェル粒子の水性エマルジョン（固形分２５質量％）
ＰＥ１１２６（星光ＰＭＣ社製）：アクリル樹脂水性エマルジョン（固形分４１．５質量％）
【００８５】
表１〜７に示されるように、本発明の範囲内の実施例１〜２５の水性インクジェットインクは、保存安定性に優れていた。また、本発明の範囲内の実施例１〜２５の水性インクジェットインクを用いることにより、ＰＶＣ基材上に、滲みが少なく、高い光学濃度で定着性に優れる画像を形成することができた。また、表２の実施例１０と他の実施例との比較より、保存安定性は、水性インクジェットインクにジオール系水溶性有機溶媒を添加した場合には、さらに向上することがわかる。表４の実施例１３と実施例１６との比較より、モノオール系溶媒（３）として、３−メトキシ−１−ブタノールを用いた場合には、画像滲みの発生が特に高度に抑制されることがわかる。表４の実施例１３と実施例１８との比較より、モノオール系溶媒（１）としてトリエチレングリコールモノブチルエーテルを用いた場合には、貯蔵安定性が特に高いことがわかる。
【００８６】
これに対し、表３の比較例１および表６の比較例６の結果が示すように、水性インクジェットインク中のモノオール系溶媒（３）の含有量が少な過ぎる場合には、画像の滲みが大きく、ＯＤ値が低かった。これは初期乾燥を十分に行なえなかったためと考えられる。表３の比較例２および表６の比較例７の結果が示すように、水性インクジェットインク中のモノオール系溶媒（３）の含有量が多過ぎる場合には、保存安定性が悪くなった。またＯＤ値がやや低くなった。これは、インクの初期の乾燥が早くなりすぎて、ベタ画像の埋まり具合が悪くなったためと考えられる。表３の比較例３および表６の比較例８の結果が示すように、水性インクジェットインクがモノオール系溶媒（１）を含有しない場合には、耐擦過性が悪かった。このことから、水性インクジェットインクがＰＶＣ基材を溶解可能な溶媒であるモノオール系溶媒（１）を含むことにより、ＰＶＣ基材に対する高い定着性が得られることがわかる。表３の比較例４および表６の比較例１１の結果が示すように、水性インクジェットインク中のモノオール系溶媒（１）の含有量が多過ぎる場合には、保存安定性が悪くなることがわかる。表３の比較例５および表６の比較例９の結果が示すように、水性インクジェットインクが、モノオール系溶媒（２）を含有しない場合には、画像に滲みがやや生じ、ＯＤ値が低くなった。これは、乾燥過程でのインクの濡れ拡がりが悪かったためと考えられる。表６の比較例９の結果が示すように、水性インクジェットインク中のモノオール系溶媒（２）の含有量が多過ぎる場合には、画像滲みが生じた。これは、乾燥過程でのインクの濡れ拡がりの程度が大きすぎたためと考えられる。また、色材を変えた実施例２４，２５および比較例１２，１３では、実施例１および比較例１と同様の結果が得られた。
【産業上の利用可能性】
【００８７】
本発明の水性インクジェットインクは、ＰＶＣ基材への印刷に特に好適に用いることができる。また、ＰＶＣ基材以外の、ＰＥＴ基材、表面処理（コロナ処理）したポリエチレン（ＰＥ）基材、表面処理（コロナ処理）したポリプロピレン（ＰＰ）基材、ポリスチレン基材等の非吸収性基材、およびアート紙、コート紙、キャスト紙、上質紙、合成紙、インクジェット用紙等の紙基材への印刷（画像形成）に用いることができ、非吸収性基材への印刷に好適に用いることができる。
【符号の説明】
【００８８】
１０  メディア
１１  インクジェットインク
２０  搬送部
２１  供給ローラ
２２  巻取ローラ
２３  搬送ローラ
３０  プラテン
４０  加熱部
５０  吐出部
６０  インク収容部
７０  乾燥部
７１  キャリッジ
１００  インクジェット記録装置
【図１】
2018123293.tif 000009